(57)【要約】【課題】ＩＰルータ用のインタフェイス装置において論理インタフェイスにイーサネットを割り当てる。【解決手段】GbE/ODUアダプタ１４−０〜１４−３１は論理インタフェイス１５−０〜１５−３１からのギガビットイーサネット（登録商標）フレームをODU0規格のペイロードにマッピングし、ODUアダプタ１３−０〜１３−３１はGbE/ODUアダプタ１４−０〜１４−３１からのペイロードをODU0信号にマッピングする。ODUアダプタ１３−０〜１３−３１からのODU0信号はマルチプレクサ／デマルチプレクサ１２で多重化されて光ファイバ１１にOTU3信号が出力される。光ファイバ１１から入力されるOTU3信号に対しては逆方向の処理が施される。異速度のイーサネットを混在させることもできる。【選択図】図１
2011223144.tif 000002
【特許請求の範囲】
【請求項１】
SDH又はOTNに接続されるＩＰルータ用のインタフェイス装置であって、
論理インタフェイスとしてイーサネット（登録商標）を割り当て、該イーサネットをSDHのVC（Virtual Container）又はOTNのODU（Optical channel Data Unit）のVCAT（Virtual Concatenation）もしくはODUflexにマッピングする手段と、
複数の論理インタフェイスをSTM信号又はOTU信号に多重して伝送する手段と
を有することを特徴とするインタフェイス装置。
【請求項２】
イーサネットをその速度に対応するVC群又はODU群にVCAT又はODUflexを利用してマッピングすることにより、異なる速度のイーサネットを前記論理インタフェイスとして割り当てることを特徴とする請求項１記載のインタフェイス装置。
【請求項３】
単一固定速度のイーサネットのみを前記論理インタフェイスとして割り当てることを特徴とする請求項１記載のインタフェイス装置。
【請求項４】
前記複数の論理インタフェイスを多重したSTM信号又はOTU信号を複数波長多重し、WDM（Wavelength Division Multiplexing）信号として出力する手段を有することを特徴とする請求項１ないし３に記載のインタフェイス装置。
【発明の詳細な説明】
【技術分野】
【０００１】
本発明は、複数のチャネルを時分割多重して高速の信号を光伝送するＩＰルータ用のチャネル化インタフェイス装置に関する。
【背景技術】
【０００２】
複数のチャネルを時分割多重して高速の信号を光伝送するSDH（Synchronous Digital Hierarchy：同期デジタルハイアラーキー）やOTN（Optical Transport Network：光伝送ネットワーク）が広く利用されている。
SDHは、1988年にCCITTにおいて標準化された光ファイバを用いた高速デジタル通信方式の国際規格である。SDHでは同期転送モードのフレームを多重して伝送し、基本フレームは155.52Mbpsの同期転送モジュール１（STM-1：Synchronous Transport Module-level 1）である。STM-1のｎ倍（ｎは４の倍数）の速度のものをSTM-nとよぶ。STM-4の伝送速度は622.03Mbps、STM-16の伝送速度は2,488.32Mbps、STM-64の伝送速度は9,953.28Mbpsである。
【０００３】
VCAT（Virtual Concatenation：バーチャルコンカチネーション）は、VC-3（48.384Mbps）、VC-4（149.76Mbps）といったバーチャルコンテナ（VC：Virtual Container）を任意の数だけ束ねて従来のSDHのハイアラーキに依存しない帯域を提供する技術である。STM-4のペイロードには最大１２個のVC-3又は最大４個のVC-4が収容され、STM-16のペイロードには最大４８個のVC-3又は最大16個のVC-4が収容される。
【０００４】
OTNは、ITU-T勧告G.709で規定される光伝送網であり、OPU（Optical channel payload unit：光チャネルペイロードユニット）、ODU（Optical channel data unit：光チャネルデータユニット）、OTU（Optical channel transport unit：光チャネル伝送ユニット）フレームにSDHやイーサネット（登録商標）などのクライアント信号を収容してデータを伝送する。OTNには、OTU1（2.48832Gbps）、OTU2（9.95328Gbps）、OTU3（39.81312Gbps）などが規定されている。
【０００５】
このような高速インタフェイスに接続されるＩＰルータにおいて、１本の物理インタフェイスを複数の論理インタフェイスとして使用するチャネル化インタフェイスを構成することは知られている（非特許文献１）。
図６は、従来のPOS（Packet-over-SONET/SDH）チャネル化インタフェイス装置の構成例を示す図である。この図に示す例では、STM-16インタフェイスに対しVC-4（約150Mbps）の速度／帯域を持った16個の論理インタフェイスが作成されている。
図６において、８０は従来のチャネル化インタフェイス装置、８１はインタフェイス装置８０に接続される光ファイバ、８２はマルチプレクサ／デマルチプレクサ（多重／分離器）、８３−０〜８３−１５はＩＰパケットとVC-4信号のマッピング処理を行うVC-4アダプタ、８４−０〜８４−１５は論理インタフェイスである。
なお、この図及び以下の図において、煩雑さを避けるために、複数個設けられた構成要素に対する符号についてはその一部について図面中に記載することを省略している。
【０００６】
この例では、前記光ファイバ８１に、STM-16（STM（Synchronous Transport Module：同期転送モジュール））信号が伝送されるものとしている。STM-16信号には、16個のVC-4（Virtual Container-4）が多重される。光ファイバ８１から入力される信号は図示しない光−電気変換部で電気信号に変換されてマルチプレクサ／デマルチプレクサ８２に入力され、マルチプレクサ／デマルチプレクサ８２から出力される信号は図示しない電気−光変換部で光信号に変換されて光ファイバ８１に出力される。
マルチプレクサ／デマルチプレクサ（多重／分離器）８２は、16個のVC-4アダプタ８３−０〜８３−１５からのVC-4信号を多重してSTM−16信号を生成する処理と、電気信号に変換された前記光ファイバ８１からのSTM−16信号を16個のVC-4信号に分離して前記VC−4アダプタ８３−０〜８３−１５に出力する処理を行う。
【０００７】
VC-4アダプタ８３−０〜８３−１５は、それぞれに対応して設けられた論理インタフェイス８４−０〜８４−１５から入力されるＩＰパケットをVC-4信号にマッピングするとともに、前記マルチプレクサ／デマルチプレクサ８２から入力されるVC−4信号をＩＰパケットにデマッピング（逆マッピング）して対応する論理インタフェイス８４−０〜８４−１５に出力する。
論理インタフェイス８４−０〜８４−１５はＩＰルータのスイッチ部に接続されており、該論理インタフェイス８４−０〜８４−１５から出力されるＩＰパケットに対してルーティング処理が実行される。また、ルーティング処理されたＩＰパケットが対応する論理インタフェイス８４−０〜８４−１５に入力されることとなる。
【０００８】
このように、従来のＩＰルータ用チャネル化インタフェイス装置では、SDHのVC（Virtual Container）単位に論理インタフェイスが割り当てられるため、図６に示すようなSTM-16インタフェイスの場合、VC-4（156Mbps）の速度／帯域単位を持った論理インタフェイスが16個作成される。図６の場合、インタフェイス装置８０は物理的な１個のインタフェイスsdh0として認識され、VC-4単位に、16個の論理インタフェイスに対して、sdh0.0からsdh0.15が割り振られている。
【先行技術文献】
【非特許文献】
【０００９】
【非特許文献１】シスコシステムズ合同会社、「4-Port Channelized OC-12/STM-4 POS/SDH ISE Line Card インストレーション コンフィギュレーション ノート」、[online]、[平成22年3月15日検索]、インターネット、＜URL : http://www.ciscosystems.com/japanese/warp/public/3/jp/service/manual_j/rt/12k/4cospicn/chapter01/13425_05.PDF＞
【発明の概要】
【発明が解決しようとする課題】
【００１０】
上述のように、従来のPOSチャネル化インタフェイス装置は、単一の物理インタフェイス（例えば、STM-4）の中に、VC-3又はVC-4を単位とした複数の論理インタフェイスを構築することは可能であるが、イーサネットを単位とした複数の論理インタフェイスを構築することはできないものであった。
また、VCATを利用することで、VC-4のｎ倍の速度／帯域を持った論理インタフェイスを作成することも可能であるが、SDHインタフェイスであり、イーサネットを利用することはできなかった。
さらに、イーサネットをOTNに収容して伝送するインタフェイス装置も存在するが、非チャネル化インタフェイスであり、チャネル化インタフェイスとして複数の論理インタフェイスを構成できるものではなかった。
さらにまた、伝送装置においては、イーサネットをVCATを利用して複数多重化することが可能なインタフェイスを持つものが存在するが、ＩＰルータでないため、論理インタフェイスを個別のイーサネットに割り当てることができないものであった。
【００１１】
そこで、本発明は、イーサネットを単位とする複数の論理インタフェイスを構築することができるＩＰルータ用のインタフェイス装置を提供することを目的としている。
【課題を解決するための手段】
【００１２】
上記目的を達成するために、本発明のインタフェイス装置は、SDH又はOTNに接続されるＩＰルータ用のインタフェイス装置であって、論理インタフェイスとしてイーサネットを割り当て、該イーサネットをSDHのVC（Virtual Container）又はOTNのODU（Optical channel Data Unit）のVCAT（Virtual Concatenation）もしくはODUflexにマッピングする手段と、複数の論理インタフェイスをSTM信号又はOTU信号に多重して伝送する手段とを有するものである。
また、イーサネットをその速度に対応するVC群又はODU群にVCAT又はODUflexを利用してマッピングすることにより、異なる速度のイーサネットを前記論理インタフェイスとして割り当てるもの、あるいは、単一固定速度のイーサネットのみを前記論理インタフェイスとして割り当てるものである。
さらに、前記複数の論理インタフェイスを多重したSTM信号又はOTU信号を複数波長多重し、WDM（Wavelength Division Multiplexing）信号として出力する手段を有するものである。
【発明の効果】
【００１３】
本発明のインタフェイス装置によれば、物理インタフェイスは、STMあるいはOTNであるが、論理インタフェイスはイーサネットであるＩＰルータ用チャネル化インタフェイス装置を提供することが可能となる。
【図面の簡単な説明】
【００１４】
【図１】本発明のインタフェイス装置の第１の実施の形態の構成例を示す図である。
【図２】本発明のインタフェイス装置の第２の実施の形態の構成例を示す図である。
【図３】本発明のインタフェイス装置の第３の実施の形態の構成例を示す図である。
【図４】本発明のインタフェイス装置の第４の実施の形態の構成例を示す図である。
【図５】本発明のインタフェイス装置の第５の実施の形態の構成例を示す図である。
【図６】従来のPOSチャネル化インタフェイス装置の構成例を示す図である。
【発明を実施するための形態】
【００１５】
＜第１の実施の形態＞
図１は、本発明のＩＰルータ用インタフェイス装置の第１の実施の形態の構成例を示す図である。この実施の形態は、単一固定速度のイーサネットを論理インタフェイスとして割り当てる固定割り当てのチャネル化インタフェイス装置である。
図１において、１０はこの実施の形態のインタフェイス装置、１１は光ファイバ、１２はマルチプレクサ／デマルチプレクサ、１３−０〜１３−３１は入力信号とODU0信号のマッピング処理を行うODU0アダプタ、１４−０〜１４−３１はギガビットイーサネット信号とODU0のペイロードとのマッピング処理を行うGbE/ODUアダプタ、１５−０〜１５−３１は論理インタフェイスである。
【００１６】
図示するように、この例では、光ファイバ１１にOTN規格のOTU3（OTU : Optical Transport Unit）信号が伝送されるものとしている。光ファイバ１１で受信された光信号は図示しない光−電気変換部で電気信号に変換してマルチプレクサ／デマルチプレクサ１２に出力されるとともに、マルチプレクサ／デマルチプレクサ１２から出力される信号は図示しない電気−光変換部で光信号に変換されて光ファイバ１１に出力される。
マルチプレクサ／デマルチプレクサ１２は、32個のODU0アダプタ１３−０〜１３−３１からのODU0信号を多重しオーバーヘッドを付加してOTU3信号を作成するとともに、電気信号に変換された光ファイバ１１からのOTU3信号を32個のODU0信号に分離してODU0アダプタ１３−０〜１３−３１に出力する。
ODU0アダプタ１３−０〜１３−３１は、それぞれに対応して設けられたGbE/ODUアダプタ１４−０〜１４−３１から入力されるペイロードにODUのオーバーヘッドを付加してODU0信号にマッピングするとともに、前記マルチプレクサ／デマルチプレクサ１２から入力されるODU0信号をデマッピングしてペイロードのデータを取り出して対応するGbE/ODUアダプタ１４−０〜１４−３１に出力する。
【００１７】
GbE/ODUアダプタ１４−０〜１４−３１は、それぞれに対応する論理インタフェイス１５−０〜１５−３１からのギガビットイーサネットのイーサネットフレームをODU0規格のペイロードのビットレートに合わせてマッピングしてODU0のペイロードを作成するとともに、対応するODU0アダプタ１３−０〜１３−３１からのODU0のペイロードをギガビットイーサネットのイーサネットフレームにデマッピングして対応する論理インタフェイス１５−０〜１５−３１に出力する。
論理インタフェイス１５−０〜１５−３１は、ＩＰルータのスイッチ部に接続されており、論理インタフェイス１５−０〜１５−３１から出力されるギガビットイーサネット信号に対してルーティング処理が行われる。また、スイッチ部でルーティング処理されたギガビットイーサネット信号が対応する論理インタフェイス１５−０〜１５−３１に入力されることとなる。
【００１８】
このように、本実施の形態では、40GbpsのOTU3信号（ODU0が32個多重される）の各ODU0に、1Gbpsのイーサネット（GbE：Gigabit Ethernet）が割り当てられている。GbEの信号は、ODU0にマッピングされ、ODU0が多重化されて、OTU3信号に収容されている。インタフェイス装置１０は物理的には40GbpsのOTUインタフェイスであるが、本実施の形態ではインタフェイス名として論理インタフェイスがイーサネットであることを優先してeth0を与えている。論理的なインタフェイスとしては32個のイーサネットインタフェイスeth0.0からeth0.31が構成されている。
【００１９】
＜第２の実施の形態＞
図２は、本発明のＩＰルータ用インタフェイス装置の第２の実施の形態の構成例を示す図である。この実施の形態は、異なる速度のイーサネットを論理インタフェイスとして割り当てることができる異速度混在固定割り当てのチャネル化インタフェイス装置である。
図２において、２０はこの実施の形態のインタフェイス装置、２１は光ファイバ、２２はマルチプレクサ／デマルチプレクサ、２３−０〜２３−３１は前記図１における１３−０〜１３−３１と同様のODU0アダプタ、２４−０〜２４−１５は前記図１における１４−０〜１４−３１と同様のGbE/ODUアダプタ、２５−０及び２５−１は10ギガビットイーサネット信号と８個のODU0信号がバーチャルコンカチネートされた信号（ODUx8 VCAT）とのマッピング処理を行う10GE/ODUアダプタ、２６−０〜２６−１５、２７−０及び２７−１は論理インタフェイスである。
【００２０】
この例においても、前記図１に示した実施の形態と同様に、光ファイバ２１にOTU3信号が伝送されるものとしている。光ファイバ２１で受信された光信号は図示しない光−電気変換部で電気信号に変換してマルチプレクサ／デマルチプレクサ２２に出力されるとともに、マルチプレクサ／デマルチプレクサ２２から出力される信号は図示しない電気−光変換部で光信号に変換されて光ファイバ２１に出力される。
マルチプレクサ／デマルチプレクサ２２は、32個のODU0アダプタ２３−０〜２３−３１からのODU0信号を多重しオーバーヘッドを付加してOTU3信号を作成し光信号に変換して光ファイバ２１に出力するとともに、光ファイバ２１からの電気信号に変換されたOTU3信号を32個のODU0信号に分離してODU0アダプタ２３−０〜２３−３１に出力する。
【００２１】
32個のODU0アダプタ２３−０〜２３−３１のうち16個のODU0アダプタ２３−０〜２３−１５は、それぞれに対応して設けられたGbE/ODUアダプタ２４−０〜２４−１５から入力されるペイロードにODUのオーバーヘッドを付加してODU0信号にマッピングするとともに、前記マルチプレクサ／デマルチプレクサ２２から入力されるODU0信号をデマッピングしてペイロードのデータを取り出して対応するGbE/ODUアダプタ２４−０〜２４−１５に出力する。
【００２２】
また、８個のODU0アダプタ２３−１６〜２３−２３は、10ギガビットイーサネット（10GE）と８個のODU0信号がバーチャルコンカチネートされた信号（ODU×8 VCAT）とのマッピングを行う10GE/ODUアダプタ２５−０に接続されており、該10GE/ODUアダプタ２５−０から出力される８個のペイロードのうちの対応するペイロードにODUのオーバーヘッドを付加してODU0信号にマッピングするとともに、前記マルチプレクサ／デマルチプレクサ２２から入力されるODU0信号をデマッピングしてペイロードのデータを取り出し、10GE/ODUアダプタ２５−０に出力する処理を行う。
同様に、８個のODU0アダプタ２３−２４〜２３−３１は、10GE/ODUアダプタ２５−１に接続されており、該10GE/ODUアダプタ２５−１からの８個のペイロードをODU0信号にマッピングする処理と、前記マルチプレクサ／デマルチプレクサ２２からのODU0信号のデマッピング処理を行う。
【００２３】
GbE/ODUアダプタ２４−０〜２４−１５は、それぞれ対応する論理インタフェイス２６−０〜２６−１５から入力されるギガビットイーサネットのイーサネットフレームをODU0規格のペイロードにマッピングして対応するODU0アダプタ２３−０〜２３−１５に出力し、対応するODU0アダプタ２３−０〜２３−１５から入力されるペイロードをギガビットイーサネットのイーサネットフレームにデマッピングして対応する論理インタフェイス２６−０〜２６−１５に出力する。
【００２４】
10GE/ODUアダプタ２５−０は、論理インタフェイス２７−０からの10ギガビットイーサネットのイーサネットフレームをODU0信号が８個バーチャルコンカチネートされた信号にマッピングして該８個のODU0規格のペイロードをODU0アダプタ２３−１６〜２３−２３に出力し、ODU0アダプタ２３−１６〜２３−２３から入力される８個のペイロードを10ギガビットイーサネットのイーサネットフレームにデマッピングして論理インタフェイス２７−０に出力する。
同様に、10GE/ODUアダプタ２５−１は、論理インタフェイス２７−１からの10ギガビットイーサネットのイーサネットフレームをODU0信号が８個バーチャルコンカチネートされた信号にマッピングし、該８個のODU0規格のペイロードを前記ODU0アダプタ２３−２４〜２３−３１に出力し、ODU0アダプタ２３−２４〜２３−３１から入力される８個のペイロードを10ギガビットイーサネットのイーサネットフレームにデマッピングして論理インタフェイス２７−１に出力する。
【００２５】
論理インタフェイス２６−０〜２６−１５、２７−０及び２７−１は、ＩＰルータのスイッチ部に接続されており、論理インタフェイス２６−０〜２６−１５から出力されるギガビットイーサネット信号及び論理インタフェイス２７−０及び２７−１から出力される10ギガビットイーサネット信号に対してルーティング処理が行われる。また、スイッチ部でルーティング処理されたギガビットイーサネット信号及び10ギガビットイーサネット信号が対応する論理インタフェイス２６−０〜２６−１５、２７−０又は２７−１に入力されることとなる。
【００２６】
このように、本実施の形態では、40GbpsのOTU3信号（ODU0が32個多重される）の前半16個のODU0に１Gbpsのイーサネット（GbE）が割り当てられ、後半16個のODU0に10Gbpsのイーサネット（10GE）が２個割り当てられている。GbEの信号はODU0にマッピングされ、10GEの信号は８個のODU0をVCATしてマッピングされている。合計32個のODU0信号は多重化されてOTU3信号に収容されている。インタフェイス装置２０は物理的には40GbpsのOTUインタフェイスであるが、本実施の形態ではインタフェイス名として論理インタフェイスがイーサネットであることを優先してeth0を与えている。論理的なインタフェイスとしては18個のイーサネットインタフェイスeth0.1.0からeth0.1.15とeth0.10.0及びeth0.10.1が構成されている。
【００２７】
＜第３の実施の形態＞
図３は、本発明のＩＰルータ用インタフェイス装置の第３の実施の形態の構成例を示す図である。この実施の形態は、異なる任意の速度のイーサネットを論理インタフェイスとして割り当てることができる異速度混在任意割り当てのチャネル化インタフェイス装置である。
図３において、３０はこの実施の形態のインタフェイス装置、３１は光ファイバ、３２はマルチプレクサ／デマルチプレクサ、３３−０〜３３−３１はODU0アダプタ、３４−０〜３４−３は図示しないルータの制御部における管理ソフトウエアによる制御信号に応じて８個のGbE/ODUアダプタ又は１個の10GE/ODUアダプタのいずれかとして動作するアダプタ、３５−０、３５−１及び３５−２は８個のGbE/ODUアダプタとして動作するように設定された前記アダプタ３４−０内のGbE/ODUアダプタ、３６−０、３６−１、３６−２及び３７は論理インタフェイスである。
【００２８】
この例においても、前記図１及び図２の場合と同様に、光ファイバ３１にOTU3信号が伝送されるものとしている。光ファイバ３１で受信された光信号は図示しない光−電気変換部で電気信号に変換してマルチプレクサ／デマルチプレクサ３２に出力されるとともに、マルチプレクサ／デマルチプレクサ３２から出力される信号は図示しない電気−光変換部で光信号に変換されて光ファイバ３１に出力される。
【００２９】
この実施の形態では、40GbpsのOTU3信号（ODU0が32個多重される）の32個のODU0を８個単位にグループ化し、該４個のグループに対応して８個のGbE/ODUアダプタ又は１個の10GE/ODUアダプタのいずれかとして動作するアダプタ３４−０〜３４−３を設けている。これらアダプタ３４−０〜３４−３を８個のGbE/ODUアダプタ、もしくは１個の10GE/ODUアダプタとして切換えて動作させることにより、任意に設定した異なる速度のイーサネットを論理インタフェイスとして任意に割り当てることができるようになされている。
なお、このアダプタ３４−０〜３４−３は、例えば、８個のGbE/ODUアダプタと１個の10GE/ODUアダプタの両方を設けておき、制御信号によりいずれかが動作するように構成することなどで実現することができる。
【００３０】
例えば、任意割り当ての例として、（1）GbE、（2）10GE、（3）GbE、（4）GbEの順に設定要求があったものとする。
図示しないルータの制御部における管理ソフトウエアは、第１番目のGbEの要求により、前記アダプタ３４−０〜３４−３のうちの例えば３４−０を選択して８個のGbE/ODUアダプタとして動作するように設定する。これにより、図示するように、GbE/ODUアダプタ３５−０、３５−１、・・・、３５−７が動作可能状態とされる。そのうちのGbE/ODUアダプタ３５−０を動作させ、ODU0アダプタ３３−０に接続することにより、論理インタフェイス名eth0.0の論理インタフェイス３６−０が作成される。
【００３１】
すなわち、ODU0アダプタ３３−０は、GbE/ODUアダプタ３５−０から入力されるペイロードにODUのオーバーヘッドを付加してODU0信号を作成して前記マルチプレクサ／デマルチプレクサ３２に出力するとともに、前記マルチプレクサ／デマルチプレクサ３２からのODU0信号をデマッピングしてペイロードを取り出し、GbE/ODUアダプタ３５−０に出力する。
GbE/ODUアダプタ３５−０は論理インタフェイス３６−０から入力されるギガビットイーサネットのイーサネットフレームをODU0規格のペイロードにマッピングしてODU0アダプタ３３−０に出力するとともに、ODU0アダプタ３３−０からのペイロードをギガビットイーサネットのイーサネットフレームにデマッピングして論理インタフェイス３６−０に出力する。
【００３２】
二番目の要求の10GEに応じて、ルータの制御部における管理ソフトウエアは、別なグループを利用して10GE/ODUアダプタを選択し、10GEの論理インタフェイスeth0.1が作成される。図示する例では、図示しない制御部からの制御信号により、アダプタ３４−３が選択され、10GE/ODUアダプタとして動作するように設定されている。そして、10GE/ODUアダプタ３４−３と８個のODU0アダプタ３３−２４〜３３−３１を接続することにより、論理インタフェイス名eth0.1の10GEの論理インタフェイス３７が作成されている。
【００３３】
すなわち、ODU0アダプタ３３−２４〜３３−３１は、10ギガビットイーサネット（10GE）と８個のODU0信号がバーチャルコンカチネートされた信号（ODU×8 VCAT）との間のマッピングを行う10GE/ODUアダプタとして動作するアダプタ３４−３から出力される８個のペイロードのうちの対応するペイロードにODUのオーバーヘッドを付加してODU0信号にマッピングするとともに、前記マルチプレクサ／デマルチプレクサ３２からのODU0信号をデマッピングしてペイロードのデータを取り出しアダプタ３４−３に出力する。
10GE/ODUアダプタとして動作するアダプタ３４−３は、論理インタフェイス３７からの10ギガビットイーサネットのイーサネットフレームをODU0信号が８個バーチャルコンカチネートされた信号にマッピングして該８個のペイロードをODU0アダプタ３３−２４〜３３−３１に出力するとともに、ODU0アダプタ３３−２４〜３３−３１から入力される８個のペイロードを10ギガビットイーサネットのイーサネットフレームにデマッピングして論理インタフェイス３７に出力する。
【００３４】
三番目、四番目のGbEの要求は、一番目の要求によって作成されたGbE/ODUアダプタ３５−１、３５−２に割り当てられ、前述と同様にして論理インタフェイスeth0.2（３６−１）とeth0.3（３６−２）が作成されている。残りのグループは未使用であり、今後の要求によって、８個のGbE/ODUアダプタ又は10GE/ODUアダプタとされる。
すなわち、三番目と四番目のGbEの要求に応じて、選択されたGbEアダプタ３５−１、３５−１とこれらのGbEアダプタに接続されているODU0アダプタ３３−１、３３−２が前記GbEアダプタ３５−０及びODU0アダプタ３３−０と同様に動作して、論理インタフェイス名eth0.2及びeth0.3のギガビットイーサネットの論理インタフェイスが作成される。
【００３５】
論理インタフェイス３６−０〜３６−２及び３７は、ＩＰルータのスイッチ部に接続されており、該スイッチ部において論理インタフェイス３６−０〜３６−２から出力されるギガビットイーサネット信号及び論理インタフェイス３７から出力される10ギガビットイーサネット信号に対してルーティング処理が行われる。また、スイッチ部でルーティング処理されたギガビットイーサネット信号及び10ギガビットイーサネット信号が対応する論理インタフェイス３６−０〜３６−２又は３７に入力されることとなる。
【００３６】
このように、この実施の形態においては、複数のODU0アダプタのグループに対応して複数個のGbE/ODUアダプタ又は１個の10GE/ODUアダプタとして動作することができるアダプタを設け、該アダプタの動作態様を設定することで、任意速度のイーサネットの割り当てを実現することができる。
【００３７】
＜第４の実施の形態＞
図４は本発明のＩＰルータ用インタフェイス装置の第４の実施の形態の構成例を示す図である。この実施の形態は、異なる任意の速度のイーサネットを論理インタフェイスとして割り当てることができる異速度混在任意割り当てのチャネル化インタフェイス装置である。
図４において、４０はこの実施の形態のインタフェイス装置、４１は光ファイバ、４２はマルチプレクサ／デマルチプレクサ、４３−０〜４３−１５は入力信号とVC-4信号との間のマッピング処理を行うVC-4アダプタ、４４−０〜４４−３はイーサネットフレームと複数のVC-4がバーチャルコンカチネートされた信号との間のマッピング処理を行うイーサネット／VCATアダプタ、４５−０〜４５−３は論理インタフェイスである。
この例では、光ファイバ４１に、前記図６の場合と同様に、STM-16信号が伝送されるものとしている。STM-16信号には16個のVC-4が多重される。光ファイバ４１で受信された光信号は図示しない光−電気変換部で電気信号に変換してマルチプレクサ／デマルチプレクサ４２に出力されるとともに、マルチプレクサ／デマルチプレクサ４２から出力される信号は図示しない電気−光変換部で光信号に変換されて光ファイバ４１に出力される。
【００３８】
この実施の形態では、16個のVC-4アダプタ４３−０〜４３−１５に対して、４個のイーサネット／VCATアダプタ４４−０〜４４−３を設けている。各イーサネット／VCATアダプタ４４−０〜４４−３は、対応する論理インタフェイス４５−０〜４５−３に割り当てられるイーサネットのイーサネットフレームと該イーサネットの速度に対応したｎ個（１≦ｎ≦16）のVC-4がバーチャルコンカチネートされた信号との間のマッピング処理を行うものであり、バーチャルコンカチネートされるVC-4の数ｎは、図示しない制御部における管理ソフトウエアにより、対応する論理インタフェイスに割り当てられるイーサネットの速度／帯域に応じて決定される。イーサネット／VCATアダプタ４４−０〜４４−３は、例えば、FPGA（Field Programmable Gate Array）などを用いて構成することができる。
【００３９】
図４には、400Mbpsの帯域が設定された論理GbEインタフェイスeth0.0と、１Gbpsの帯域が設定された論理GbEインタフェイスeth0.1が構築されている例を示している。
すなわち、400Mbpsの帯域を有するイーサネットの割当要求に応じて、図示しないルータの制御部における管理ソフトウエアは、イーサネット／VCATアダプタ４４−０を、３個のVC-4（最大約450 Mbpsの帯域を提供）のVCATにマッピングされるように設定し、イーサネット／VCATアダプタ４４−０とVC-4アダプタ４３−０〜４３−２を接続するように設定する。
【００４０】
これにより、イーサネット／VCATアダプタ４４−０は、論理インタフェイス４５−０からの400Mbpsイーサネットのイーサネットフレームを、３個のVC-4がバーチャルコンカチネートされた信号にマッピングして３個のVC-4ペイロードをVC-4アダプタ４３−０〜４３−２に出力するとともに、VC-4アダプタ４３−０〜４３−２からの３個のVC-4ペイロードを400Mbpsイーサネットのイーサネットフレームにデマッピングして論理インタフェイス４５−０に出力する。VC-4アダプタ４３−０〜４３−２は、イーサネット／VCATアダプタ４４−０から出力されるVC-4ペイロードをVC-4信号にマッピングしてマルチプレクサ／デマルチプレクサ４２に出力するとともに、マルチプレクサ／デマルチプレクサ４２からのVC-4信号をデマッピングしてVC-4ペイロードをイーサネット／VCATアダプタ４４−０に出力する。
このようにして、400Mbpsの帯域が設定された論理GbEインタフェイスeth0.0が作成される。
【００４１】
また、１GbEの帯域を有するイーサネットの割当要求に応じて、ルータの管理ソフトウエアは、イーサネット／VCATアダプタ４４−１を選択して７個のVC-4（最大約1.05Gb psの帯域を提供）のVCATにマッピングされるように設定し、イーサネット／VCATアダプタ４４−１とVC-4アダプタ４３−３〜４３−９とを接続するように設定する。
これにより、イーサネット／VCATアダプタ４４−１は、論理インタフェイス４５−１からのイーサネットフレームを７個のVC-4ペイロードにマッピングしてVC-4アダプタ４３−３〜４３−９に出力するとともに、VC-4アダプタ４３−３〜４３−９からのVC-4ペイロードをデマッピングして１Gbpsイーサネットのイーサネットフレームを論理インタフェイス４５−１に出力する。また、VC-4アダプタ４３−３〜４３−９は、イーサネット／VCATアダプタ４４−１から出力されるVC-4ペイロードをVC-4信号にマッピングしてマルチプレクサ／デマルチプレクサ４２に出力するとともに、マルチプレクサ／デマルチプレクサ４２からのVC-4信号をデマッピングしてVC-4ペイロードをイーサネット／VCATアダプタ４４−１に出力する。
このようにして、１Gbpsの帯域が設定された論理GbEインタフェイスeth0.1が作成される。
残った６個のVC-4アダプタ４３−１０〜４３−１５は、論理インタフェイスeth0.2やeth0.3を割り当てる際に帯域に応じて使用される。
【００４２】
論理インタフェイス４５−０及び４５−１は、ＩＰルータのスイッチ部に接続されており、該スイッチ部において論理インタフェイス４５−０から出力される400Mbpsの帯域が設定されたギガビットイーサネット信号及び論理インタフェイス４５−１から出力される1ギガビットイーサネット信号に対してルーティング処理が行われる。また、ルーティング処理された400Mbpsの帯域が設定されたビットイーサネット信号及び1ギガビットイーサネット信号が対応する論理インタフェイス４５−０又は４５−１に入力されることとなる。
【００４３】
なお、図示する例では、イーサネット／VC-4アダプタを４個設けた例が記載されているが、これに限らず、最大16個までのイーサネット／VC-4アダプタを設けることができる。
このように、この実施の形態によれば、バーチャルコンカチネートするVC-4の個数を任意に設定することができるイーサネット／VCATアダプタを複数個設け、論理インタフェイスに割り当てるイーサネットの帯域や速度に応じて、イーサネット／VCATアダプタのマッピングするVCATの本数を変更することで、論理インタフェイスに任意の帯域のイーサネットの割当を実現することができる。
【００４４】
＜第５の実施の形態＞
図５は、本発明のＩＰルータ用インタフェイス装置の第５の実施の形態の構成例を示す図である。この実施の形態は、上述した各実施の形態における高速信号を複数波長多重してWDM（Wavelength Division Multiplexing：光波長分割多重）信号として出力するように構成されたインタフェイス装置である。
図５において、５０はこの実施の形態のインタフェイス装置、５１は光ファイバ、５２は波長多重／分離器、５３及び５４は光ファイバである。
この例では、光ファイバ５１に第１の波長λ1のOTU3信号と第２の波長λ2のOTU3信号が波長多重された２本のOTU3信号が伝送されるものとしており、合計６４個のODU0が収容される。
波長多重／分離器５２は、前記光ファイバ５１に波長多重された波長λ1のOTU3信号と波長λ2のOTU3信号を分波して波長λ1のOTU3信号を光ファイバ５３に出力し、波長λ2のOTU3信号を光ファイバ５４に出力する処理と、光ファイバ５３からの波長λ1のOTU3信号と光ファイバ５４からの波長λ2のOTU3信号を合波して前記光ファイバ５１に出力する処理を行う。
【００４５】
前記光ファイバ５３に接続されているマルチプレクサ／デマルチプレクサ５４、該マルチプレクサ／デマルチプレクサ５４に接続されているODU0アダプタ５５−０〜５５−３１、ODU0アダプタ５５−０〜５５−３１に接続されているGbE/ODUアダプタ５６−０〜５６−３１、及び、GbE/ODUアダプタ５６−０〜５６−３１に接続されている論理インタフェイス５７−０〜５７−３１により、前記図１に示した実施の形態のインタフェイス装置１０と同様のインタフェイス装置が構成されている。
また、前記光ファイバ５４に接続されているマルチプレクサ／デマルチプレクサ５９、該マルチプレクサ／デマルチプレクサ５９に接続されているODU0アダプタ５５−３２〜５５−６３、ODU0アダプタ５５−３２〜５５−４７に接続されているGbE/ODUアダプタ５６−３２〜５６−４７、該GbE/ODUアダプタ５６−３２〜５６−４７に接続されている論理インタフェイス５７−３２〜５７−４７、前記ODU0アダプタ５５−４８〜５５−５５に接続されている10GE/ODUアダプタ６０−０、前記ODU0アダプタ５５−５６〜５５−６３に接続されている10GE/ODUアダプタ６０−１、前記10GE/ODUアダプタ６０−０及び６０−１に接続されている論理インタフェイス６１−０及び６１−１により、前記図２に示した実施の形態におけるインタフェイス装置２０と同一のインタフェイス装置が構成されている。
【００４６】
このように、図５に示した例では、前述の第１の実施の形態及び第２の実施の形態で提示したインタフェイス装置をサブインタフェイス装置として、二つのOTU3信号が１本の光ファイバから出力されるインタフェイス装置の構成が示されている。この場合、論理インタフェイスとしてはGbEとしてeth0.1.0からeth0.1.47の48個が、10GEとしてeth0.10.0及びeth0.10.1の２個の合計50個が設定されている。
なお、この例では、図１に示した実施の形態のインタフェイス装置と図２に示した実施の形態のインタフェイス装置とを多重する例を示したが、前記図１ないし図４に示した実施の形態のインタフェイス装置を任意に組み合わせて多重することができる。さらに、この例では、第１の波長λ1と第２の波長λ2の２波長を多重する場合を示したが、これに限られることはなく、さらに多くの波長の光信号を多重することができる。
【００４７】
上述した実施の形態においては、SDHのVC又はOTNのODUのVCATにマッピングする例を示したが、これに限られることはなく、OTNのODUflexにマッピングするようにしてもよい。
また、前記図１ないし図３及び図５に示した実施の形態においては、光ファイバにOTU3信号が伝送される場合を例にとって説明し、図４に示した実施の形態においてはSTM-16信号が伝送される場合を例にとって示したが、上述した各実施の形態は、いずれも、OTU信号及びSTM信号のどちらが伝送される場合でも適用することができる。さらに、例示した速度とは異なる速度の信号が伝送される場合でも同様に適用することができる。
【符号の説明】
【００４８】
１０，２０，３０，４０，５０：インタフェイス装置、１１，２１，３１，４１，５１，５３，５８：光ファイバ、１２，２２，３２，４２，５４，５９：マルチプレクサ／デマルチプレクサ、１３−０〜１３−３１，２３−０〜２３−３１，３３−０〜３３−３１，５５−０〜５５−６３：ODU0アダプタ、１４−０〜１４−３１，２４−０〜２４−１５，３５−０〜３５−２，５６−０〜５６−４７：GbE/ODUアダプタ、２５−０，２５−１，６０−０，６０−１：10GE/ODUアダプタ、１５−０〜１５−３１，２６−０〜２６−１５，２７−０，２７−１，３６−０〜３６−２，３７，４５−０〜４５−３，５７−０〜５７−４７，６１−０，６１−１：論理インタフェイス、３４−０〜３４−３：アダプタ、４３−０〜４３−１５：VC-4アダプタ、４４−０〜４４−３：イーサネット／VCATアダプタ、５２：波長多重／分離器
【図１】
2011223144.tif 000003
【図２】
2011223144.tif 000004
【図３】
2011223144.tif 000005
【図４】
2011223144.tif 000006
【図５】
2011223144.tif 000007
【図６】
2011223144.tif 000008